(57)【要約】【課題】誤変換の発生を確実に防止する。【解決手段】パーソナルコンピュータのＲＡＭ１２は、変換元の「かな」で表記された文字列情報に対応付けて、変換先の候補となる漢字で表記された文字列情報である漢字候補情報を予め格納する辞書記憶部１２２と、変換元の「かな」で表記された文字列情報及び１の漢字候補情報に対応付けて、１の漢字候補の使用頻度を示す使用頻度情報を予め格納する使用頻度記憶部１２１と、を備え、ＣＰＵ１１は、入力部１５を介して、ユーザから操作入力を受け付けて、漢字候補をモニタ１４に表示する旨の操作入力である変換操作入力が受け付けられた場合に、変換元の「かな」で表記された文字列に対応する辞書記憶部１２２に格納された漢字候補を、使用頻度記憶部１２１に格納された使用頻度情報に基づいて、選択可能にモニタ１４に表示する第１変換候補表示部１１２を備えている。【選択図】図３
2009129304.tif 000002
【特許請求の範囲】
【請求項１】
外部から入力された「かな」で表記された文字列を漢字に変換して、外部から視認可能にモニタに表示する漢字変換装置であって、
変換元の「かな」で表記された文字列情報に対応付けて、変換先の候補となる漢字で表記された文字列情報である漢字候補情報を予め格納する辞書記憶手段と、
変換元の「かな」で表記された文字列情報及び１の漢字候補情報に対応付けて、前記１の漢字候補の使用頻度を示す使用頻度情報を予め格納する使用頻度記憶手段と、
外部から操作入力を受け付けて、漢字候補を前記モニタに表示する旨の操作入力である変換操作入力が受け付けられた場合に、変換元の「かな」で表記された文字列に対応する前記辞書記憶手段に格納された漢字候補を、前記使用頻度記憶手段に格納された使用頻度情報に基づいて、選択可能に前記モニタに表示する第１変換候補表示手段と、
を備えることを特徴とする漢字変換装置。
【請求項２】
前記第１変換候補表示手段は、前記辞書記憶手段に格納された漢字候補の内、前記使用頻度記憶手段に格納された使用頻度が予め設定された所定の使用頻度レベル以下である漢字候補を前記モニタに表示しないことを特徴とする請求項１に記載の漢字変換装置。
【請求項３】
外部から操作入力を受け付けて、予め設定され、前記変換操作入力とは異なる特定の操作入力が受け付けられた場合に、変換元の「かな」で表記された文字列に対応し、前記辞書記憶手段に格納された全ての漢字候補を選択可能に前記モニタに表示する第２変換候補表示手段を備えることを特徴とする請求項１又は請求項２に記載の漢字変換装置。
【請求項４】
前記特定の操作入力は、前記変換操作入力が予め設定された２以上の所定回数だけ入力される操作入力であることを特徴とする請求項３に記載の漢字変換装置。
【請求項５】
前記変換操作入力を行う場合に押下される変換キーを含む複数のキーが配列され、キーの押下を介して操作入力を受け付ける入力手段を備え、
前記特定の操作入力は、前記変換キーと、予め設定された該変換キー以外の特定キーとが同時に押下される操作入力であることを特徴とする請求項３に記載の漢字変換装置。
【請求項６】
前記第１変換候補表示手段は、前記辞書記憶手段に格納された漢字候補の内、前記使用頻度記憶手段に格納された使用頻度が予め設定された所定の使用頻度レベル以上である漢字候補については、前記モニタに２以上の所定個数の漢字候補を連続して表示することを特徴とする請求項３〜請求項５のいずれかに記載の漢字変換装置。
【請求項７】
外部から操作入力を受け付けて、受け付けられた操作入力に基づいて、前記第１変換候補表示手段又は第２変換候補表示手段によって前記モニタに表示された漢字候補の中から１の漢字候補を変換先の漢字として決定する変換実行手段を備え、
前記変換実行手段は、前記変換操作入力が受け付けられる度に、次に表示された漢字候補を選択することを特徴とする請求項１〜請求項６のいずれかに記載の漢字変換装置。
【請求項８】
外部から操作入力を受け付けて、受け付けられた操作入力に基づいて、変換元の「かな」で表記された文字列情報及び１の漢字候補情報に対応付けて、使用頻度情報を設定し、設定された使用頻度情報を使用頻度記憶手段に記録する使用頻度登録手段を備えることを特徴とする請求項１〜請求項７のいずれかに記載の漢字変換装置。
【発明の詳細な説明】
【技術分野】
【０００１】
本発明は、外部から入力された「かな」で表記された文字列を漢字に変換して、外部から視認可能にモニタに表示する漢字変換装置に関するものである。
【背景技術】
【０００２】
従来、外部から入力された「かな」で表記された文字列を漢字に変換して、外部から視認可能にモニタに表示する漢字変換装置においては、誤変換を防止するために種々の装置、方法等が提案されている。
【０００３】
例えば、辞書メモリに各種辞書情報、学習メモリに各種学習情報が格納されている場合に、優先順位設定制御部によってこれらの優先順位をユーザの指示に応じて設定し、その設定された優先順位を優先順位メモリに格納し、変換制御部によって読み入力に対する変換候補（変換語情報）が得られた際に、その出力順位を優先順位メモリに格納された現在の優先順位に基づいて決定する文書作成装置が開示されている（特許文献１参照）。
【特許文献１】特開平６−８３８１５号公報
【発明の開示】
【発明が解決しようとする課題】
【０００４】
しかしながら、上記文書作成装置等の従来の漢字変換装置においては、変換先の漢字の候補として、辞書メモリに格納された全ての漢字が選択可能に表示されるため、些細な操作ミス等によって、通常は使用することのない漢字に誤変換される虞がある。
【０００５】
例えば、機械分野の文書を作成する場合に、「内蔵」は頻繁に使用され、「内臓」は殆ど使用されないが、ユーザが「内蔵」に変換したつもりでも、変換操作（例えば、変換キーの押下）を誤ってしまう（例えば、変換キーを一回だけ多く押下してしまう）と、「内臓」に変換されてしまい、誤変換が発生する。
【０００６】
本発明は、上記課題に鑑みてなされたものであって、誤変換の発生を確実に防止することの可能な漢字変換装置を提供することを目的としている。
【課題を解決するための手段】
【０００７】
上記目的を達成するために請求項１に記載の漢字変換装置は、外部から入力された「かな」で表記された文字列を漢字に変換して、外部から視認可能にモニタに表示する漢字変換装置であって、変換元の「かな」で表記された文字列情報に対応付けて、変換先の候補となる漢字で表記された文字列情報である漢字候補情報を予め格納する辞書記憶手段と、変換元の「かな」で表記された文字列情報及び１の漢字候補情報に対応付けて、前記１の漢字候補の使用頻度を示す使用頻度情報を予め格納する使用頻度記憶手段と、外部から操作入力を受け付けて、漢字候補を前記モニタに表示する旨の操作入力である変換操作入力が受け付けられた場合に、変換元の「かな」で表記された文字列に対応する前記辞書記憶手段に格納された漢字候補を、前記使用頻度記憶手段に格納された使用頻度情報に基づいて、選択可能に前記モニタに表示する第１変換候補表示手段と、を備えることを特徴としている。
【０００８】
請求項２に記載の漢字変換装置は、請求項１に記載の漢字変換装置であって、前記第１変換候補表示手段が、前記辞書記憶手段に格納された漢字候補の内、前記使用頻度記憶手段に格納された使用頻度が予め設定された所定の使用頻度レベル以下である漢字候補を前記モニタに表示しないことを特徴としている。
【０００９】
請求項３に記載の漢字変換装置は、請求項１又は請求項２に記載の漢字変換装置であって、外部から操作入力を受け付けて、予め設定され、前記変換操作入力とは異なる特定の操作入力が受け付けられた場合に、変換元の「かな」で表記された文字列に対応し、前記辞書記憶手段に格納された全ての漢字候補を選択可能に前記モニタに表示する第２変換候補表示手段を備えることを特徴としている。
【００１０】
請求項４に記載の漢字変換装置は、請求項３に記載の漢字変換装置であって、前記特定の操作入力が、前記変換操作入力が予め設定された２以上の所定回数だけ入力される操作入力であることを特徴としている。
【００１１】
請求項５に記載の漢字変換装置は、請求項３に記載の漢字変換装置であって、前記変換操作入力を行う場合に押下される変換キーを含む複数のキーが配列され、キーの押下を介して操作入力を受け付ける入力手段を備え、前記特定の操作入力が、前記変換キーと、予め設定された該変換キー以外の特定キーとが同時に押下される操作入力であることを特徴としている。
【００１２】
請求項６に記載の漢字変換装置は、請求項３〜請求項５のいずれかに記載の漢字変換装置であって、前記第１変換候補表示手段が、前記辞書記憶手段に格納された漢字候補の内、前記使用頻度記憶手段に格納された使用頻度が予め設定された所定の使用頻度レベル以上である漢字候補については、前記モニタに２以上の所定個数の漢字候補を連続して表示することを特徴としている。
【００１３】
請求項７に記載の漢字変換装置は、請求項１〜請求項６のいずれかに記載の漢字変換装置であって、外部から操作入力を受け付けて、受け付けられた操作入力に基づいて、前記第１変換候補表示手段又は第２変換候補表示手段によって前記モニタに表示された漢字候補の中から１の漢字候補を変換先の漢字として決定する変換実行手段を備え、前記変換実行手段が、前記変換操作入力が受け付けられる度に、次に表示された漢字候補を選択することを特徴としている。
【００１４】
請求項８に記載の漢字変換装置は、請求項１〜請求項７のいずれかに記載の漢字変換装置であって、外部から操作入力を受け付けて、受け付けられた操作入力に基づいて、変換元の「かな」で表記された文字列情報及び１の漢字候補情報に対応付けて、使用頻度情報を設定し、設定された使用頻度情報を使用頻度記憶手段に記録する使用頻度登録手段を備えることを特徴としている。
【発明の効果】
【００１５】
請求項１に記載の漢字変換装置によれば、変換元の「かな」で表記された文字列情報に対応付けて、変換先の候補となる漢字で表記された文字列情報である漢字候補情報が予め辞書記憶手段に格納されており、変換元の「かな」で表記された文字列情報及び１の漢字候補情報に対応付けて、１の漢字候補の使用頻度を示す使用頻度情報が使用頻度記憶手段に予め格納されている。そして、外部から操作入力が受け付けられて、漢字候補をモニタに表示する旨の操作入力である変換操作入力が受け付けられた場合に、変換元の「かな」で表記された文字列に対応する辞書記憶手段に格納された漢字候補が、使用頻度記憶手段に格納された使用頻度情報に基づいて、選択可能にモニタに表示されるため、誤変換の発生を確実に防止することができる。
【００１６】
すなわち、漢字候補をモニタに表示する旨の操作入力である変換操作入力が受け付けられた場合に、変換元の「かな」で表記された文字列に対応する辞書記憶手段に格納された漢字候補が、使用頻度記憶手段に格納された使用頻度情報に基づいて、選択可能にモニタに表示されるため、使用頻度の高い漢字候補を選択され易く表示し（例えば、同一の漢字候補を複数個表示し）、且つ、使用頻度の低い漢字候補を選択され難く表示する（例えば、使用頻度が予め設定された所定の使用頻度レベル以下である漢字候補をモニタに表示しない）ことによって、誤変換の発生を確実に防止することができるのである。
【００１７】
請求項２に記載の漢字変換装置によれば、辞書記憶手段に格納された漢字候補の内、使用頻度記憶手段に格納された使用頻度が予め設定された所定の使用頻度レベル以下である漢字候補がモニタに表示されないため、誤変換の発生を更に確実に防止することができる。
【００１８】
請求項３に記載の漢字変換装置によれば、外部から操作入力が受け付けられて、予め設定され、変換操作入力とは異なる特定の操作入力が受け付けられた場合に、変換元の「かな」で表記された文字列に対応し、辞書記憶手段に格納された全ての漢字候補が選択可能にモニタに表示されるため、利便性良好に誤変換の発生を確実に防止することができる。
【００１９】
すなわち、変換操作入力とは異なる特定の操作入力が受け付けられた場合に、変換元の「かな」で表記された文字列に対応し、辞書記憶手段に格納された全ての漢字候補が選択可能にモニタに表示されるため、変換操作入力によってはモニタに表示されない漢字候補を含む全ての漢字候補を選択可能にモニタに表示することができるので、利便性良好に誤変換の発生を確実に防止することができるのである。
【００２０】
つまり、ユーザは、通常の変換操作においては、変換操作入力を用いて、使用頻度の低い漢字候補が選択されることを確実に防止すると共に、使用頻度の低い漢字候補の選択を所望する場合には、特定の操作入力を用いて、全ての漢字候補を選択可能にモニタに表示することができるので、利便性良好に誤変換の発生を確実に防止することができるのである。
【００２１】
請求項４に記載の漢字変換装置によれば、特定の操作入力が、変換操作入力が予め設定された２以上の所定回数だけ入力される操作入力であるため、更に利便性良好に誤変換の発生を確実に防止することができる。
【００２２】
すなわち、ユーザは、通常の変換操作において用いられる変換操作入力（例えば変換キーの押下）を、予め設定された２以上の所定回数だけ入力することによって、特定の操作入力を行うことができるため、操作の習熟を要することなく特定の操作入力を行うことができるので、更に利便性良好に誤変換の発生を確実に防止することができるのである。
【００２３】
請求項５に記載の漢字変換装置によれば、変換操作入力を行う場合に押下される変換キーを含む複数のキーが配列され、キーの押下を介して操作入力を受け付ける入力手段を備え、特定の操作入力が、変換キーと、予め設定された該変換キー以外の特定キーとが同時に押下される操作入力であるため、更に利便性良好に誤変換の発生を確実に防止することができる。
【００２４】
すなわち、特定の操作入力が、変換キーと、予め設定された該変換キー以外の特定キーとが同時に押下される操作入力であるため、ユーザが、使用頻度の低い漢字候補の選択を所望する場合に、特定の操作入力を迅速に行い、全ての漢字候補を選択可能にモニタに表示することができるので、更に利便性良好に誤変換の発生を確実に防止することができるのである。
【００２５】
請求項６に記載の漢字変換装置によれば、辞書記憶手段に格納された漢字候補の内、使用頻度記憶手段に格納された使用頻度が予め設定された所定の使用頻度レベル以上である漢字候補については、モニタに２以上の所定個数の漢字候補が連続して表示されるため、誤変換の発生を更に確実に防止することができる。
【００２６】
すなわち、辞書記憶手段に格納された漢字候補の内、使用頻度記憶手段に格納された使用頻度が予め設定された所定の使用頻度レベル以上である漢字候補については、モニタに２以上の所定個数の漢字候補が連続して表示されるため、ユーザが選択を所望する漢字候補の次の漢字候補を誤って選択した場合であっても、ユーザが選択を所望する漢字候補が選択されるため、誤変換の発生を更に確実に防止することができるのである。
【００２７】
請求項７に記載の漢字変換装置によれば、変換操作入力が受け付けられる度に、モニタに表示された漢字候補の中から、次に表示された漢字候補が選択され、外部から操作入力が受け付けられて、受け付けられた操作入力に基づいて、モニタに表示された漢字候補の中から１の漢字候補が変換先の漢字として決定されるため、利便性良好に漢字候補を選択することができる。
【００２８】
すなわち、変換操作入力を行うことによって、変換元の「かな」で表記された文字列に対応する辞書記憶手段に格納された漢字候補が、使用頻度記憶手段に格納された使用頻度情報に基づいて、選択可能にモニタに表示され、その後、変換操作入力が受け付けられる度に、モニタに表示された漢字候補の中から、次に表示された漢字候補が選択されるため、変換操作入力（例えば、変換キーの押下）を繰り返し行うことによって漢字候補を選択することができるので、利便性良好に漢字候補を選択することができるのである。
【００２９】
請求項８に記載の漢字変換装置によれば、外部から操作入力が受け付けられて、受け付けられた操作入力に基づいて、変換元の「かな」で表記された文字列情報及び１の漢字候補情報に対応付けて、使用頻度情報が設定され、設定された使用頻度情報が使用頻度記憶手段に記録されるため、変換元の「かな」で表記された文字列及び１の漢字候補毎に、ユーザが所望する使用頻度に設定することができるので、誤変換の発生を更に確実に防止することができる。
【発明を実施するための最良の形態】
【００３０】
以下、本発明に係る漢字変換装置の一例について図面を参照して説明する。図１は、本発明に係る漢字変換装置を備えるパーソナルコンピュータの一例を示す構成図である。パーソナルコンピュータ１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、モニタ１４、入力部１５、ＨＤＤ（Ｈａｒｄ  Ｄｉｓｋ  Ｄｒｉｖｅ）１６、及び、バス１７を備えている。
【００３１】
ＣＰＵ１１は、バス１７を介して、ＲＡＭ１２、ＲＯＭ１３、モニタ１４等とデータ伝送可能に構成され、パーソナルコンピュータ１全体の動作を制御するものである。ＲＡＭ１２及びＨＤＤ１６は、後述する漢字候補情報等の種々の情報を格納するものである。ＲＯＭ１３は、ＣＰＵ１１を動作させる制御プログラム等を格納するものである。モニタ１４は、ＬＣＤ（Ｌｉｑｕｉｄ  Ｃｒｙｓｔａｌ  Ｄｉｓｐｌａｙ）等からなり、種々の情報を外部から視認可能に表示するものである。入力部１５（入力手段に相当する）は、キーボード、マウス等からなり、ユーザからの操作入力を受け付けて、受け付けられた操作入力情報を、バス１７を介してＣＰＵ１１に出力するものである。
【００３２】
図２は、図１に示す入力部１５に配設されたキーボードの一例を示すキー配列図である。入力部１５に配設されたキーボードは、テンキー１５１、アルファベットキー１５２、エンターキー１５３、変換キー１５４、オルトキー１５５、及び、コントロールキー１５６を備えている。
【００３３】
テンキー１５１は、数字を入力する場合に押下されるキーである。アルファベットキー１５２は、アルファベットを入力する場合に押下されるキーである。エンターキー１５３は、選択状態を決定する場合等に押下されるキーであって、ここでは、選択された漢字候補に決定する場合に押下されるキーである。
【００３４】
変換キー１５４は、変換元の「かな」で表記された文字列に対応する漢字候補をモニタ１４に表示する場合、及び、モニタ１４に表示された漢字候補の中から、選択された漢字候補の次に表示された漢字候補を選択する（選択状態を変更する）場合に押下されるキーである。
【００３５】
オルトキー１５５、及び、コントロールキー１５６は、いわゆる特殊キーであって、他のキーと同時に押下されることによって機能を発揮するキーであり、ここでは、変換元の「かな」で表記された文字列に対応する全ての漢字候補をモニタ１４に表示する場合に、変換キー１５４と同時に押下されるものである。
【００３６】
図３は、本発明に係る漢字変換装置の主要部の構成を示すブロック図である。ＣＰＵ１１は、機能的に、使用頻度登録部１１１、第１変換候補表示部１１２、第２変換候補表示部１１３、及び、変換実行部１１４を備え、ＲＡＭ１２は、機能的に、使用頻度記憶部１２１、辞書記憶部１２２、及び、変換履歴記憶部１２３を備えている。
【００３７】
ここでは、ＣＰＵ１１が、図１に示すＲＯＭ１３等に予め格納された制御プログラムを読み出して実行することにより、使用頻度登録部１１１、第１変換候補表示部１１２、第２変換候補表示部１１３、変換実行部１１４等の機能部として機能すると共に、ＲＡＭ１２を、使用頻度記憶部１２１、辞書記憶部１２２、変換履歴記憶部１２３等の機能部として機能させるものである。
【００３８】
また、ＲＡＭ１２、図１に示すＲＯＭ１３に格納された各種データの内、装着脱可能な記録媒体に格納され得るデータは、例えば、図１に示すＨＤＤ１６、光ディスクドライブ、フレキシブルディスクドライブ、シリコンディスクドライブ、カセット媒体読み取り機等のドライバで読み取り可能にしてもよく、この場合、記録媒体は、例えば、ハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００３９】
使用頻度記憶部１２１（使用頻度記憶手段に相当する）は、変換元の「かな」で表記された文字列情報及び１の漢字候補情報に対応付けて、１の漢字候補の使用頻度を示す使用頻度情報を予め格納するものである。使用頻度記憶部１２１に格納される文字列情報、漢字候補情報、及び、使用頻度情報は、使用頻度登録部１１１によって記録され（＝書き込まれ）、第１変換候補表示部１１２によって読み出される。
【００４０】
辞書記憶部１２２（辞書記憶手段に相当する）は、変換元の「かな」で表記された文字列情報に対応付けて、変換先の候補となる漢字で表記された文字列情報である漢字候補情報を辞書情報として予め格納するものである。辞書記憶部１２２に格納された漢字候補情報は、第１変換候補表示部１１２及び第２変換候補表示部１１３によって読み出される。
【００４１】
図４は、使用頻度記憶部１２１及び辞書記憶部１２２にそれぞれ格納された使用頻度情報及び辞書情報の一例を示す図表である。（ａ）は、使用頻度記憶部１２１に格納された使用頻度情報の一例を示す図表であり、（ｂ）は、辞書記憶部１２２に格納された辞書情報の一例を示す図表である。
【００４２】
（ａ）に示すように、使用頻度記憶部１２１には、変換元の「かな」で表記された文字列情報（ここでは、「ないぞう」、「かどう」）及び１の漢字候補情報（ここでは、「内臓」、「稼動」）に対応付けて、１の漢字候補の使用頻度を示す使用頻度情報（ここでは、「低」）が格納されている。使用頻度情報としては、ここでは、「高」、「中」、「低」、「無」の４つのレベルのいずれかが、使用頻度登録部１１１によって選択されて、使用頻度記憶部１２１に格納される。
【００４３】
（ｂ）に示すように、辞書記憶部１２２には、辞書情報として、変換元の「かな」で表記された文字列情報（ここでは、「ないぞう」）に対応付けて、変換先の候補となる漢字で表記された文字列情報である漢字候補情報（ここでは、「内蔵」、「内臓」、「ナイゾウ」、「ないぞう」）が格納されている。「ナイゾウ」は、片仮名であり、「ないぞう」は平仮名であるが、変換先の候補となる場合があるため、ここでは、漢字候補情報として辞書記憶部１２２に格納されている。
【００４４】
再び、図３に戻って、漢字変換装置の主要部の構成（ここでは、ＣＰＵ１１及びＲＡＭ１２に機能構成）について説明する。変換履歴記憶部１２３は、予め設定された所定期間（例えば、過去１ヶ月）において、変換元の「かな」で表記された文字列情報に対応付けて、変換先に決定された漢字候補情報を、変換履歴情報として格納するものである。変換履歴記憶部１２３に格納された変換履歴は、第１変換候補表示部１１２及び第２変換候補表示部１１３によって読み出される。
【００４５】
使用頻度登録部１１１（使用頻度登録手段に相当する）は、入力部１５を介して、ユーザから操作入力を受け付けて、受け付けられた操作入力に基づいて、変換元の「かな」で表記された文字列情報及び１の漢字候補情報に対応付けて、使用頻度情報を設定し、設定された使用頻度情報を使用頻度記憶部１２１に記録するものである。
【００４６】
第１変換候補表示部１１２（第１変換候補表示手段に相当する）は、入力部１５を介してユーザから操作入力を受け付けて、漢字候補をモニタ１４に表示する旨の操作入力である変換操作入力（ここでは、図２に示す変換キー１５４の押下）が受け付けられた場合に、変換元の「かな」で表記された文字列に対応する辞書記憶部１２２に格納された漢字候補を、使用頻度記憶部１２１に格納された使用頻度情報、及び、変換履歴記憶部１２３に格納された変換履歴情報に基づいて、選択可能にモニタ１４に表示するものである。
【００４７】
具体的には、第１変換候補表示部１１２は、変換元の「かな」で表記された文字列に対応する辞書記憶部１２２に格納された漢字候補を、変換履歴記憶部１２３に格納された変換履歴情報の順に（すなわち、直近に変換先の漢字として決定された漢字候補の順に）選択可能にモニタ１４に表示するものである。
【００４８】
また、第１変換候補表示部１１２は、辞書記憶部１２２に格納された漢字候補の内、使用頻度記憶部１２１に格納された使用頻度が予め設定された所定の使用頻度レベル以下である（ここでは、「低」レベル以下である：「無」レベル、又は「低」レベルである）漢字候補をモニタ１４に表示しないものである。換言すれば、第１変換候補表示部１１２は、辞書記憶部１２２に格納された漢字候補の内、使用頻度記憶部１２１に格納された使用頻度が予め設定された所定の使用頻度レベル以上である（ここでは、「中」レベル以上である：「中」レベル、又は「高」レベルである）、又は、使用頻度レベルが設定されていない漢字候補のみをモニタ１４に表示するものである。
【００４９】
第２変換候補表示部１１３（第２変換候補表示手段に相当する）は、入力部１５を介してユーザから操作入力を受け付けて、予め設定され、変換操作入力（図２に示す変換キー１５４の押下）とは異なる特定の操作入力が受け付けられた場合に、変換元の「かな」で表記された文字列に対応し、辞書記憶部１２２に格納された全ての漢字候補を選択可能にモニタ１４に表示するものである。
【００５０】
ここでは、特定の操作入力は、変換操作入力（図２に示す変換キー１５４の押下）が予め設定された２以上の所定回数（ここでは、（所定回数）＝（第１変換候補表示部１１２によってモニタ１４に表示された漢字候補の個数）である）だけ入力される操作入力である。
【００５１】
なお、ここでは、特定の操作入力が、変換操作入力が予め設定された２以上の所定回数だけ入力される操作入力である場合について説明するが、特定の操作入力が、図２に示す変換キー１５４と、予め設定された変換キー１５４以外の特定キー（例えば、図２に示すオルトキー１５５、又は、コントロールキー１５６）とが同時に押下される操作入力である形態でもよい。
【００５２】
この場合には、ユーザが、使用頻度の低い漢字候補の選択を所望する場合に、特定の操作入力（＝図２に示す変換キー１５４と、オルトキー１５５、又は、コントロールキー１５６との同時押下）を迅速に行い、全ての漢字候補を選択可能にモニタ１４に表示することができる。
【００５３】
変換実行部１１４（変換実行手段に相当する）は、入力部１５を介して、ユーザから操作入力を受け付けて、受け付けられた操作入力に基づいて、第１変換候補表示部１１２又は第２変換候補表示部１１３によってモニタ１４に表示された漢字候補の中から１の漢字候補を変換先の漢字として決定するものである。
【００５４】
変換実行部１１４は、例えば、図２に示す変換キー１５４が押下される度に、選択中の漢字候補の次に表示されている漢字候補を選択状態とし、ユーザが変換先として所望する漢字候補が選択状態となった場合に、図２に示すエンターキー１５３の押下を受け付けることによって、選択状態である漢字候補を変換先の漢字として決定するものである。
【００５５】
図５は、漢字候補のモニタ１４への表示状態の変遷の一例を示す画面図である。ここでは、「かな」で表記された文字列が「ないぞう」であって、使用頻度記憶部１２１及び辞書記憶部１２２には、図３に示す情報が格納されている場合について説明する。まず、第１変換候補表示部１１２によって、図２に示す変換キー１５４の押下が受け付けられた場合には、（ａ）に示す漢字候補リスト部２００がモニタ１４に表示される。漢字候補リスト部２００は、漢字候補をリスト形式で表示するものであって、左側に、番号表示部２０１が表示され、右側に、漢字候補表示部２０２が表示されている。
【００５６】
番号表示部２０１は、一連番号を表示するものである。漢字候補表示部２０２は変換元の「かな」で表記された文字列（ここでは、「ないぞう」）に対応する辞書記憶部１２２に格納された漢字候補（図４（ｂ）参照）の内、使用頻度レベルが「低」レベル以下ではない漢字候補のみ（ここでは、図４（ａ）に示すように、使用頻度レベルが「低」に設定された「内臓」の除く漢字候補）を表示するものである。
【００５７】
また、番号表示部２０１には、選択マーク２０３が表示されている。選択マーク２０３は、選択状態にある漢字候補を示すマーク（ここでは、漢字候補を囲む四角形のマーク）であって、ここでは、最上位にある「内蔵」が選択状態にある。また、選択マーク２０３は、変換キー１５４が押下される度に、変換実行部１１４によって１つ下に移動される。例えば、（ａ）に示す状態で、変換キー１５４が１回だけ押下されると、選択マーク２０３は、「ナイゾウ」に移動される。
【００５８】
（ａ）に示す状態で、変換キー１５４が２回押下された場合には、変換実行部１１４によって、（ｂ）に示す漢字候補リスト部２１０がモニタ１４に表示される。漢字候補リスト部２１０は、漢字候補リスト部２００と同様に、漢字候補をリスト形式で表示するものであって、左側に、番号表示部２１１が表示され、右側に、漢字候補表示部２１２が表示されている。また、番号表示部２１１には、選択状態にある漢字候補を示す選択マーク２１３が表示されている。すなわち、（ａ）に示す状態で、変換キー１５４が２回押下された場合には、変換実行部１１４によって、選択マーク２１３が２つ下に移動される（＝「内蔵」から「ないぞう」に移動される）。
【００５９】
（ｂ）に示す状態で、変換キー１５４が押下された場合には、第２変換候補表示部１１３によって、（ｃ）に示す漢字候補リスト部２２０がモニタ１４に表示される。漢字候補リスト部２２０は、漢字候補リスト部２００と同様に、漢字候補をリスト形式で表示するものであって、左側に、番号表示部２２１が表示され、右側に、漢字候補表示部２２２が表示されている。ただし、漢字候補表示部２２２は変換元の「かな」で表記された文字列（ここでは、「ないぞう」）に対応する辞書記憶部１２２に格納された全ての漢字候補（図４（ｂ）参照）を表示するものである。また、番号表示部２２１には、選択状態にある漢字候補を示す選択マーク２２３が表示されている。
【００６０】
すなわち、第１変換候補表示部１１２によってモニタ１４に表示された漢字候補の個数（ここでは、３個）分の回数（＝３回）だけ図２に示す変換キー１５４の押下が押下されたことが受け付けられる（＝特定の操作入力が受け付けられる）と、第２変換候補表示部１１３によって、（ｃ）に示すように、辞書記憶部１２２に格納された全ての漢字候補が選択可能にモニタ１４に表示されるのである。
【００６１】
また、（ｃ）に示す状態で、変換キー１５４が押下された場合には、「内臓」が選択状態とされ、変換実行部１１４によって、図２に示すエンターキー１５３の押下が受け付けられた場合には、「内臓」が変換先の漢字として決定される。つまり、第１変換候補表示部１１２によって表示される漢字候補（図５（ａ）、（ｂ）参照）には含まれない漢字である「内臓」を変換先の漢字として決定することができるのである。
【００６２】
図６は、図３に示す漢字変換装置の使用頻度登録動作の一例を示すフローチャートである。なお、以下の処理は全て使用頻度登録部１１１によって行われる。まず、入力部１５を介してユーザから変換元の「かな」で表記された文字列情報（例えば、「ないぞう」）が受け付けられる（Ｓ１０１）。そして、入力部１５を介してユーザから１の漢字候補（例えば、「内臓」）が受け付けられる（Ｓ１０３）。次いで、入力部１５を介してユーザから使用頻度情報（例えば、「低」）が受け付けられる（Ｓ１０５）。次に、入力部１５を介してユーザから操作入力が受け付けられて、受け付けられた操作入力に基づいて、登録をするか否かの判定が行われる（Ｓ１０７）。
【００６３】
登録をしないと判定された場合（Ｓ１０７でＮＯ）には、処理がステップＳ１０１に戻され、ステップＳ１０１以降の処理が繰り返し実行される。登録をすると判定された場合（Ｓ１０７でＹＥＳ）には、ステップＳ１０１において受け付けられた変換元の「かな」で表記された文字列情報、ステップＳ１０３において受け付けられた１の漢字候補情報、及び、ステップＳ１０５において受け付けられた使用頻度情報が使用頻度記憶部１２１に記録され（＝書き込まれ）（Ｓ１０９）、処理が終了される。
【００６４】
図７、図８は、図３に示す漢字変換装置の変換処理動作の一例を示すフローチャートである。なお、ここでは、便宜上、予め変換元の「かな」で表記された文字列が受け付けられており、使用頻度記憶部１２１に使用頻度情報等が予め格納され、辞書記憶部１２２に辞書情報が予め格納されている場合について説明する。まず、第１変換候補表示部１１２によって、図２に示す変換キー１５４の押下が受け付けられたか否かの判定が行われる（Ｓ２０１）。変換キー１５４の押下が受け付けられていないと判定された場合（Ｓ２０１でＮＯ）には、処理が待機状態とされる。
【００６５】
変換キー１５４の押下が受け付けられたと判定された場合（Ｓ２０１でＹＥＳ）には、第１変換候補表示部１１２によって、辞書記憶部１２２に格納された全ての漢字候補が読み出される（Ｓ２０３）。そして、第１変換候補表示部１１２によって、ステップＳ２０３において読み出された漢字候補に対応する使用頻度情報が使用頻度記憶部１２１から読み出される（Ｓ２０５）。次に、第１変換候補表示部１１２によって、ステップＳ２０５において読み出された使用頻度が予め設定された所定の使用頻度レベル（ここでは、「低」レベル）以下であるか否かの判定が行われる（Ｓ２０７）。
【００６６】
所定の使用頻度レベル以下ではないと判定された場合（Ｓ２０７でＮＯ）には、処理がステップＳ２１１に進められる。所定の使用頻度レベル以下であると判定された場合（Ｓ２０７でＹＥＳ）には、第１変換候補表示部１１２によって、ステップＳ２０５において読み出された使用頻度に対応する漢字候補をモニタ１４に表示しない旨の設定が行われる（Ｓ２０９）。ステップＳ２０７でＮＯの場合、又は、ステップＳ２０９の処理が終了した場合には、第１変換候補表示部１１２によって、ステップＳ２０３において読み出された全ての漢字候補についてモニタ１４に表示するか否かの設定が終了したか否かの判定が行われる（Ｓ２１１）。
【００６７】
モニタ１４に表示するか否かの設定が終了していないと判定された場合（Ｓ２１１でＮＯ）には、処理がステップＳ２０５に戻され、ステップＳ２０５以降の処理が繰り返し実行される。モニタ１４に表示するか否かの設定が終了したと判定された場合（Ｓ２１１でＹＥＳ）には、第１変換候補表示部１１２によって、ステップＳ２０３において読み出された全ての漢字候補の内、ステップＳ２０９においてモニタ１４に表示しない旨の設定が行われた漢字候補を除く漢字候補がモニタ１４に表示される（Ｓ２１３）。
【００６８】
そして、図８に示すように、変換実行部１１４によって１の漢字候補が変換先の漢字として決定されたか否かの判定が行われる（Ｓ２１５）。変換先の漢字として決定されたと判定された場合（Ｓ２１５でＹＥＳ）には、変換実行部１１４によって、ステップＳ２１５において決定された漢字に変換され（Ｓ２１７）、処理が終了される。変換先の漢字として決定されていないと判定された場合（Ｓ２１５でＮＯ）には、第２変換候補表示部１１３によって、予め設定された２以上の所定回数以上、図２に示す変換キー１５４の押下が受け付けられたか否かの判定が行われる（Ｓ２１９）。
【００６９】
所定回数以上変換キー１５４の押下が受け付けられてはいないと判定された場合（Ｓ２１９でＮＯ）には、処理がステップＳ２１５に戻され、ステップＳ２１５以降の処理が繰り返し実行される。所定回数以上変換キー１５４の押下が受け付けられたと判定された場合（Ｓ２１９でＹＥＳ）には、第２変換候補表示部１１３によって、辞書記憶部１２２に格納された全ての漢字候補がモニタ１４に表示される（Ｓ２２１）。そして、変換実行部１１４によって、１の漢字候補が変換先の漢字として決定されたか否かの判定が行われる（Ｓ２２３）。変換先の漢字として決定されていないと判定された場合（Ｓ２２３でＮＯ）には、処理が待機状態とされる。変換先の漢字として決定されたと判定された場合（Ｓ２２３でＹＥＳ）には、変換実行部１１４によって、ステップＳ２２３において決定された漢字に変換され（Ｓ２２５）、処理が終了される。
【００７０】
このようにして、変換元の「かな」で表記された文字列情報（ここでは、「ないぞう」）に対応付けて、変換先の候補となる漢字で表記された文字列情報である漢字候補情報が予め辞書記憶部１２２に格納されており（図４（ｂ）参照）、変換元の「かな」で表記された文字列情報及び１の漢字候補情報に対応付けて、１の漢字候補の使用頻度を示す使用頻度情報が使用頻度記憶部１２１に予め格納されている（図４（ａ）参照）。そして、入力部１５を介して、ユーザから操作入力が受け付けられて、漢字候補をモニタ１４に表示する旨の操作入力である変換操作入力が受け付けられた場合に、変換元の「かな」で表記された文字列に対応する辞書記憶部１２２に格納された漢字候補が、使用頻度記憶部１２１に格納された使用頻度情報に基づいて、選択可能にモニタ１４に表示されるため、誤変換の発生を確実に防止することができる。
【００７１】
すなわち、漢字候補をモニタ１４に表示する旨の操作入力である変換操作入力が受け付けられた場合に、変換元の「かな」で表記された文字列に対応する辞書記憶部１２２に格納された漢字候補が、使用頻度記憶部１２１に格納された使用頻度情報に基づいて、選択可能にモニタ１４に表示されるため、使用頻度の高い漢字候補を選択され易く表示し（例えば、同一の漢字候補を複数個表示し）、且つ、使用頻度の低い漢字候補を選択され難く表示する（例えば、使用頻度が予め設定された所定の使用頻度レベル以下である漢字候補をモニタ１４に表示しない）ことによって、誤変換の発生を確実に防止することができるのである。
【００７２】
また、辞書記憶部１２２に格納された漢字候補（図４（ｂ）参照）の内、使用頻度記憶部１２１に格納された使用頻度が予め設定された所定の使用頻度レベル以下（ここでは、「低」レベル以下）である漢字候補（ここでは、「内臓」）がモニタ１４に表示されないため、誤変換の発生を更に確実に防止することができる。
【００７３】
更に、入力部１５を介して、ユーザから操作入力が受け付けられて、予め設定され、変換操作入力とは異なる特定の操作入力が受け付けられた場合に、変換元の「かな」で表記された文字列に対応し、辞書記憶部１２２に格納された全ての漢字候補（図４（ｂ）参照）が選択可能にモニタ１４に表示されるため、利便性良好に誤変換の発生を確実に防止することができる。
【００７４】
すなわち、変換操作入力とは異なる特定の操作入力が受け付けられた場合に、変換元の「かな」で表記された文字列に対応し、辞書記憶部１２２に格納された全ての漢字候補（図４（ｂ）参照）が選択可能にモニタ１４に表示されるため、変換操作入力によってはモニタ１４に表示されない漢字候補（ここでは、「内臓」）を含む全ての漢字候補を選択可能にモニタ１４に表示することができるので、利便性良好に誤変換の発生を確実に防止することができるのである。
【００７５】
つまり、ユーザは、通常の変換操作においては、変換操作入力を用いて、使用頻度の低い漢字候補（ここでは、「内臓」）が選択されることを確実に防止すると共に、使用頻度の低い漢字候補の（ここでは、「内臓」）選択を所望する場合には、特定の操作入力を用いて、全ての漢字候補（図４（ｂ）参照）を選択可能にモニタ１４に表示することができるので、利便性良好に誤変換の発生を確実に防止することができるのである。
【００７６】
加えて、特定の操作入力が、変換操作入力が予め設定された２以上の所定回数（ここでは、（所定回数）＝（第１変換候補表示部１１２によってモニタ１４に表示された漢字候補の個数）である）だけ入力される操作入力であるため、更に利便性良好に誤変換の発生を確実に防止することができる。
【００７７】
すなわち、ユーザは、通常の変換操作において用いられる変換操作入力（ここでは、図２に示す変換キー１５４の押下）を、予め設定された２以上の所定回数（ここでは、（所定回数）＝（第１変換候補表示部１１２によってモニタ１４に表示された漢字候補の個数）である）だけ入力することによって、特定の操作入力を行うことができるため、操作の習熟を要することなく特定の操作入力を行うことができるので、更に利便性良好に誤変換の発生を確実に防止することができるのである。
【００７８】
また、変換操作入力が受け付けられる度に、モニタ１４に表示された漢字候補の中から、次に表示された漢字候補が選択され、入力部１５を介して、ユーザから操作入力が受け付けられて、受け付けられた操作入力に基づいて、モニタ１４に表示された漢字候補の中から１の漢字候補が変換先の漢字として決定されるため、利便性良好に漢字候補を選択することができる。
【００７９】
すなわち、変換操作入力を行うことによって、変換元の「かな」で表記された文字列に対応する辞書記憶部１２２に格納された漢字候補が、使用頻度記憶部１２１に格納された使用頻度情報に基づいて、選択可能にモニタ１４に表示され、その後、変換操作入力（ここでは、図２に示す変換キー１５４の押下）が受け付けられる度に、モニタ１４に表示された漢字候補の中から、次に表示された漢字候補が選択されるため、変換操作入力（ここでは、図２に示す変換キー１５４の押下）を繰り返し行うことによって漢字候補を選択することができるので、利便性良好に漢字候補を選択することができるのである。
【００８０】
更に、入力部１５を介して、ユーザから操作入力が受け付けられて、受け付けられた操作入力に基づいて、変換元の「かな」で表記された文字列情報及び１の漢字候補情報に対応付けて、使用頻度情報が設定され、設定された使用頻度情報が使用頻度記憶部１２１に記録されるため、変換元の「かな」で表記された文字列及び１の漢字候補毎に、ユーザが所望する使用頻度に設定することができるので、誤変換の発生を更に確実に防止することができる。
【００８１】
なお、本発明は、以下の形態にも適用可能である。
（Ａ）本実施形態では、漢字変換装置が、パーソナルコンピュータ１に配設される場合について説明したが、漢字変換装置が、その他の装置（例えば、携帯電話等）に配設される形態でもよい。
【００８２】
（Ｂ）本実施形態では、ＣＰＵ１１が、使用頻度登録部１１１、第１変換候補表示部１１２、第２変換候補表示部１１３、変換実行部１１４等の機能部を備える場合について説明したが、使用頻度登録部１１１、第１変換候補表示部１１２、第２変換候補表示部１１３、及び、変換実行部１１４の内、少なくとも１の機能部が、回路等のハードウェアから構成されている形態でもよい。
【００８３】
（Ｃ）本実施形態では、第１変換候補表示部１１２が、辞書記憶部１２２に格納された漢字候補の内、使用頻度記憶部１２１に格納された使用頻度が予め設定された所定の使用頻度レベル以下である漢字候補をモニタ１４に表示しない場合について説明したが、第１変換候補表示部１１２が、辞書記憶部１２２に格納された漢字候補の内、使用頻度記憶部１２１に格納された使用頻度が予め設定された所定の使用頻度レベル以上である（例えば、「中」レベル以上である）漢字候補については、モニタ１４に２以上の所定個数の漢字候補を連続して表示する形態でもよい。例えば、第１変換候補表示部１１２は、使用頻度レベルが、「高」レベルである場合には、３個の漢字候補を連続して表示し、使用頻度レベルが、「中」レベルである場合には、２個の漢字候補を連続して表示するものである。
【００８４】
図５（ｄ）は、「内蔵」の使用頻度が「高」に設定されている場合に、第１変換候補表示部１１２によってモニタ１４に表示される漢字候補リスト部２３０の一例を示す画面図である。漢字候補リスト部２３０は、漢字候補をリスト形式で表示するものであって、左側に、番号表示部２３１が表示され、右側に、漢字候補表示部２３２が表示されている。番号表示部２３１は、一連番号を表示するものである。漢字候補表示部２３２は変換元の「かな」で表記された文字列（ここでは、「ないぞう」）に対応する辞書記憶部１２２に格納された全ての漢字候補（図４（ｂ）参照）を表示するものである。
【００８５】
また、番号表示部２３１には、選択マーク２３３が表示されている。選択マーク２３３は、選択状態にある漢字候補を示すマーク（ここでは、漢字候補を囲む四角形のマーク）であって、ここでは、最上位にある「内蔵」が選択状態にある。更に、ここでは、「内蔵」の使用頻度が「高」に設定されているため、第１変換候補表示部１１２によって、３個の同一の漢字候補（＝「内蔵」）が連続して表示されている。
【００８６】
このように、辞書記憶部１２２に格納された漢字候補の内、使用頻度記憶部１２１に格納された使用頻度が予め設定された所定の使用頻度レベル以上（ここでは、「中」レベル以上）である漢字候補については、モニタ１４に２以上の所定個数の漢字候補が連続して表示されるため、誤変換の発生を更に確実に防止することができる。
【００８７】
すなわち、辞書記憶部１２２に格納された漢字候補の内、使用頻度記憶部１２１に格納された使用頻度が予め設定された所定の使用頻度レベル以上（ここでは、「中」レベル以上）である漢字候補（ここでは、「内蔵」）については、モニタ１４に２以上の所定個数（ここでは、３個）の漢字候補が連続して表示されるため、ユーザが選択を所望する漢字候補（ここでは、「内蔵」）の次の漢字候補（ここでは、「内蔵」）を誤って選択した場合であっても、ユーザが選択を所望する漢字候補（ここでは、「内蔵」）が選択されるため、誤変換の発生を更に確実に防止することができるのである。
【図面の簡単な説明】
【００８８】
【図１】は、本発明に係る漢字変換装置を備えるパーソナルコンピュータの一例を示す構成図である。
【図２】は、図１に示す入力部に配設されたキーボードの一例を示すキー配列図である。
【図３】は、本発明に係る漢字変換装置の主要部の構成を示すブロック図である。
【図４】は、使用頻度記憶部及び辞書記憶部にそれぞれ格納された使用頻度情報及び辞書情報の一例を示す図表である。
【図５】は、漢字候補のモニタへの表示状態の変遷の一例を示す画面図である。
【図６】は、図３に示す漢字変換装置の使用頻度登録動作の一例を示すフローチャートである。
【図７】は、図３に示す漢字変換装置の変換処理動作の一例を示すフローチャート（前半部）である。
【図８】は、図３に示す漢字変換装置の変換処理動作の一例を示すフローチャート（後半部）である。
【符号の説明】
【００８９】
１    パーソナルコンピュータ
１１    ＣＰＵ
１１１    使用頻度登録部（使用頻度登録手段）
１１２    第１変換候補表示部（第１変換候補表示手段）
１１３    第２変換候補表示部（第２変換候補表示手段）
１１４    変換実行部（変換実行手段）
１２    ＲＡＭ
１２１    使用頻度記憶部（使用頻度記憶手段）
１２２    辞書記憶部（辞書記憶手段）
１２３    変換履歴記憶部
１４    モニタ
１５    入力部（入力手段）
１５１    テンキー
１５２    アルファベットキー
１５３    エンターキー
１５４    変換キー
１５５    オルトキー
１５６    コントロールキー
【図１】
2009129304.tif 000003
【図２】
2009129304.tif 000004
【図３】
2009129304.tif 000005
【図４】
2009129304.tif 000006
【図５】
2009129304.tif 000007
【図６】
2009129304.tif 000008
【図７】
2009129304.tif 000009
【図８】
2009129304.tif 000010